(57)【特許請求の範囲】
【請求項１】
テレビカメラ（２１）、子機スピーカ（２３）、子機マイク（２４）を有するテレビドアホン子機（ＳＱ１）に主装置（ＡＤ１）を介してテレビモニタ（１２）、端末マイク入力端子（Ｊ１）、端末スピーカ出力端子（Ｊ２）、応答信号入力端子（Ｊ３）、ビデオ端子（ＴＶ）を有するマルチメディア対応でビデオ・キャプチャ機能を有するパーソナル・コンピュータ（ＰＱ１）を接続すると共に、
前記テレビドアホン子機からの呼出信号（ｆ４）を検出し検出信号（ｆＤ）を出力する呼出検出回路（５）と、
前記テレビドアホン子機からの音声変調信号を復調し上り音声信号（ｆ２）を出力する音声復調回路（３）と、
前記テレビドアホン子機への下り音声信号（ｆ３）を出力する音声出力回路（４）と、
前記テレビドアホン子機からの映像変調信号を復調し映像信号（ｆ１）を出力する映像復調回路（２）と、
前記呼出検出回路が動作したとき前記テレビドアホン子機への呼出確認音（ｆ５）を発生する呼出音回路（６）と、
前記呼出検出回路が動作したときＩ／Ｆ回路（１）を介して前記検出信号を取込みかつ前記応答信号入力端子に入力される応答信号を取込む信号入出力ボード（１５）と、
前記信号入出力ボードに入力された前記検出信号により端末スピーカ（１８ａ、１８ｂ）を鳴動させると共に、前記信号入出力ボードに入力された前記応答信号により端末マイク（１７）、前記端末スピーカを能動とするサウンド・ボード
（１４）と、
前記映像復調回路からの前記映像信号を前記テレビモニタの仮想テレビドアホン表示窓（１３）に映し出すビデオ・キャプチャ・ボード（１１）と、
前記呼出検出回路で前記検出信号が検出されたとき前記呼出音回路を前記音声出力回路に接続して前記呼出確認音を前記テレビドアホン子機に送出すると共に、前記応答信号入力端子に入力される応答信号が送出されたとき前記呼出音回路を前記音声出力回路から切離し、かつ前記音声出力回路および前記音声復調回路を前記サウンド・ボードに接続して前記テレビドアホン子機および前記パーソナル・コンピュータ間での通話を行なう通話路切替回路（７）とを備えたことを特徴とするテレビ通話装置。
【発明の詳細な説明】
【０００１】
【発明の属する技術分野】
本発明はテレビ通話装置に関し、特に、室内親機及び主装置に設けられたテレビモニタを削除し、通常のパーソナルコンピユータに設けられたテレビモニタでテレビドアホン子機で生成された来訪者の映像をモニタできるテレビ通話装置に係わる。
【０００２】
【従来の技術】
従来から、図２に示すテレビ通話装置が提案されている。
図２に示すテレビ通話装置は送受器６５と呼出用スピー力６６が実装された室内親機ＭＱ１１、テレビモニタ５１が実装された主装置ＡＤ１１及びテレビドアホン子機ＳＱ１１で構成され、室内親機ＭＱ１１と主装置ＡＤ１１及び主装置ＡＤ１１とテレビドアホン子機ＳＱ１１はそれぞれ配線Ｌ１１、Ｌ１２を介して相互に接続されている。
【０００３】
主装置ＡＤ１１はＩ／Ｆ回路５２、映像復調回路５３、音声復調回路５４、音声出力回路５５、呼出検出回路５６、多重、分離回路５７で構成され、Ｉ／Ｆ回路５２の親機側は配線Ｌ１１を介して室内親機ＭＱ１１と接続されている。
Ｉ／Ｆ回路５２の音声側は音声出力回路５５を介して多重、分離回路５７の音声側と接続され、多重、分離回路５７の音声側は配線Ｌ１２を経由してテレビドアホン子機ＳＱ１１と接続されている。
【０００４】
多重、分離回路５７の映像側は映像復調回路５３を介してテレビモニタ５１と接続され、多重、分離回路５７の音声復調側は音声復調回路５４を介してＩ／Ｆ回路と接続されている。
多重、分離回路５７の呼出検出側は呼出検出回路５６と接続され、呼出検出回路５６の一方はテレビモニタ５１と他方はＩ／Ｆ回路と接続されている。
【０００５】
テレビドアホン子機ＳＱ１１にはテレビカメラ６１が内蔵され、呼出釦６２、スピーカ６３及びマイク６４が実装されている。
このようなテレビ通話装置で図２に示すテレビドアホン子機ＳＱ１１で来訪者が呼出釦６２を押下すると、呼出音は配線Ｌ１２、多重、分離回路５７を経由して主装置ＡＤ１１に設けられた呼出検出回路５６へ送出され、呼出検出回路５６が動作する。
【０００６】
呼出検出回路５６が動作すると、Ｉ／Ｆ回路５２、配線Ｌ１１を介して室内親機ＭＱ１１へ呼出検出信号を送出する。
室内親機ＭＱ１１へ呼出検出信号が入力されると室内親機ＭＱ１１の呼出用スピー力６６が鳴動し、室内親機ＭＱ１１はテレビドアホン子機ＳＱ１１のスピーカ６３へ確認信号（ピン、ポン）を返送すると共に呼出検出回路５６から多重、分離回路５７、配線Ｌ１２を介してテレビドアホン子機ＳＱ１１のテレビカメラ６１に電源を投入すると共にテレビモニタ５１を作動させる。
【０００７】
室内親機ＭＱ１１で送受器６５をオフフックすると、応答信号がＩ／Ｆ回路５２を介して呼出検出回路５６の他方へ送出される。
応答信号がＩ／Ｆ回路５２を介して呼出検出回路５６の他方へ送出されると、呼出検出回路５６は各回路を能動とする。
室内親機ＭＱ１１とテレビドアホン子機ＳＱ１１の通話は主装置ＡＤ１１に設けられた音声復調回路５４、音声出力回路５５を介して行なわれる。
【０００８】
室内親機ＭＱ１１で送受器６５をオンフックすると、終話信号がＩ／Ｆ回路５２を介して呼出検出回路５６の他方へ送出される。
呼出検出回路５６の他方へ終話信号が送出されると、呼出検出回路５６からテレビドアホン子機ＳＱ１１への電源及びテレビモニタ５１への電源が遮断され待受けの状態に復帰する。
【０００９】
【発明が解決しようとする課題】
従来のテレビ通話装置は以上の様に構成されるので、例えばパーソナルコンピユータを操作しているとき、テレビドアホン子機ＳＱ１１で来訪者が呼出釦６２を押下すると、操作を中断し室内親機ＭＱ１１の設置されているところまで赴き、室内親機ＭＱ１１の送受器６５で応答する必要がある。
【００１０】
また、壁等に懸架されている主装置ＡＤ１１に実装されているテレビモニタ５１をモニタし、状況によってはパーソナルコンピユータの操作を終了とし実行中のフアイルを閉鎖してから再度、送受器６５からテレビドアホン子機ＳＱ１１の来訪者と通話する必要がある。
本発明は、このような難点を解決するためになされたもので、室内親機及び主装置に設けられたテレビモニタを削除し、通常のパーソナルコンピユータに設けられたテレビモニタでテレビドアホン子機で生成された来訪者の映像をモニタできるテレビ通話装置を提供することを目的とする。
【００１１】
【課題を解決するための手段】
このような目的を達成するため本発明によるテレビ通話装置は、テレビカメラ、子機スピーカ、子機マイクを有するテレビドアホン子機に主装置を介してテレビモニタ１２、端末マイク入力端子、端末スピーカ出力端子、応答信号入力端子、ビデオ端子を有するマルチメディア対応でビデオ・キャプチャ機能を有するパーソナル・コンピュータを接続すると共に、テレビドアホン子機からの呼出信号を検出し検出信号を出力する呼出検出回路と、テレビドアホン子機からの音声変調信号を復調し上り音声信号を出力する音声復調回路と、テレビドアホン子機への下り音声信号を出力する音声出力回路と、テレビドアホン子機からの映像変調信号を復調し映像信号を出力する映像復調回路と、呼出検出回路が動作したときテレビドアホン子機への呼出確認音を発生する呼出音回路と、呼出検出回路が動作したときＩ／Ｆ回路を介して検出信号を取込みかつ、応答信号入力端子に入力される応答信号を取込む信号入出力ボードと、信号入出力ボードに入力された検出信号により端末スピーカを鳴動させると共に、信号入出力ボードに入力された応答信号により端末マイク、端末スピーカを能動とするサウンド・ボードと、映像復調回路からの映像信号をテレビモニタの仮想テレビドアホン表示窓に映し出すビデオ・キャプチャ・ボードと、呼出検出回路で検出信号が検出されたとき呼出音回路を音声出力回路に接続して呼出確認音をテレビドアホン子機に送出すると共に、応答信号入力端子に入力される応答信号が送出されたとき呼出音回路を音声出力回路から切離し、かつ音声出力回路および音声復調回路をサウンド・ボードに接続してテレビドアホン子機およびパーソナル・コンピュータ間での通話を行なう通話路切替回路とを備えている。
【００１２】
このテレビ通話装置において、テレビドアホン子機からの呼出信号を呼出検出回路で検出し検出信号を出力し、テレビドアホン子機に電源を供給する。
呼出検出回路が動作するとテレビドアホン子機への呼出確認音を呼出音回路で発生する。
呼出検出回路が動作するとＩ／Ｆ回路を介してパーソナル・コンピュータに内蔵された信号入出力ボードへ検出信号を出力し端末スピーカを鳴動させる。
【００１３】
映像復調回路で復調された映像信号がビデオ・キャプチャ・ボードによりテレビモニタの仮想テレビドアホン表示窓に映し出される。
端末スピーカの鳴動に対応した操作で、通話路切替回路が動作し、呼出音回路から出力されていた呼出確認音を遮断し、呼出音回路を音声復調回路とサウンド・ボードに接続する。
【００１４】
端末スピーカの鳴動に対応した操作でサウンド・ボードが動作し、端末スピーカ及び端末マイクが能動となる。
端末スピーカ及び端末マイクが能動となると、通話路が形成され、テレビドアホン子機からの音声変調信号は音声復調回路で復調され上り音声信号として出力される。
【００１５】
テレビドアホン子機への下り音声信号は音声出力回路から出力され、テレビドアホン子機からの映像変調信号は映像復調回路で復調する。
【００１６】
【発明の実施の形態】
以下、本発明のテレビ通話装置の一実施例を図にしたがって詳述する。
図１に示すように、本発明によるテレビ通話装置は、テレビカメラ２１、子機スピーカ２３、子機マイク２４及び呼出釦２７が実装されたテレビドアホン子機ＳＱ１に主装置ＡＤ１を介してテレビモニタ１２、端末マイク入力端子Ｊ１、端末スピーカ出力端子Ｊ２、応答信号入力端子Ｊ３、ビデオ端子ＴＶを有するマルチメディア対応でビデオ・キャプチャ機能を有するパーソナル・コンピュータＰＱ１を接続すると共に、テレビドアホン子機ＳＱ１からの呼出信号ｆ４を検出し検出信号ｆＤを出力する呼出検出回路５と、テレビドアホン子機ＳＱ１からの音声変調信号を復調し上り音声信号ｆ２を出力する音声復調回路３と、テレビドアホン子機ＳＱ１への下り音声信号ｆ３を出力する音声出力回路４と、テレビドアホン子機ＳＱ１からの映像変調信号を復調し映像信号ｆ１を出力する映像復調回路２と、呼出検出回路５が動作したときテレビドアホン子機ＳＱ１への呼出確認音ｆ５を発生する呼出音回路６と、呼出検出回路６が動作したときＩ／Ｆ回路１を介して検出信号ｆＤを取込みかつ、応答信号入力端子Ｊ３に入力される応答信号を取込む信号入出力ボード１５と、信号入出力ボード１５に入力された検出信号ｆＤにより端末スピーカ１８ａ、１８ｂを鳴動させると共に、信号入出力ボード１５に入力された応答信号により端末マイク１７、端末スピーカ１８ａ、１８ｂを能動とするサウンド・ボード１４と、映像復調回路２からの映像信号ｆ１をテレビモニタ１２の仮想テレビドアホン表示窓１３に映し出すビデオ・キャプチャ・ボード１１と、呼出検出回路５で検出信号ｆＤが検出されたとき呼出音回路６を音声出力回路４に接続して呼出確認音ｆ５をテレビドアホン子機ＳＱ１に送出すると共に、応答信号入力端子Ｊ３に入力される応答信号が送出されたとき呼出音回路６を音声出力回路４から切離し、かつ音声出力回路４および音声復調回路３をサウンド・ボード１４に接続してテレビドアホン子機ＳＱ１およびパーソナル・コンピュータＰＱ１間での通話を行なう通話路切替回路７とを備えている。
【００１７】
図１に示すテレビ通話装置はテレビモニタ１２を設けたパーソナル・コンピュータＰＱ１、主装置ＡＤ１及びテレビドアホン子機ＳＱ１を有し、パーソナル・コンピュータＰＱ１にはビデオ・キャプチャ・ボード１１、サウンド・ボード１４及び信号入出力ボード１５が内蔵されている。
主装置ＡＤ１のビデオ出力端子Ｔ１は配線Ｌ１を介してパーソナル・コンピュータＰＱ１のビデオ端子ＴＶと接続され、ビデオ端子ＴＶはビデオ・キャプチャ・ボード１１と接続されている。
【００１８】
音声端子Ｔ２は配線Ｌ２を介してサウンド・ボード１４と、信号入出力端子Ｔ３は配線Ｌ３を介して信号入出力ボード１５とそれぞれ接続されている。
パーソナル・コンピュータＰＱ１内の回路でビデオ・キャプチャ・ボード１１はテレビモニタ１２と、サウンド用ボード１４はマイク用ジャックＪ１及びスピーカ用ジャックＪ２とそれぞれ接続されている。
【００１９】
信号入出力ボード１５は応答信号入力ジャックＪ３と接続され、応答信号入力ジャックＪ３、マイク用ジャックＪ１、スピーカ用ジャックＪ２に対応した応答信号入力用プラグＰ３、マイク用プラグＰ１、スピーカ用プラグＰ２にはコード１６ａ、１７ａ、１８ｃがそれぞれ接続されている。
このコード１６ａには応答／終話用マウス１６、コード１８ｃには端末スピーカ１８ａ、１８ｂ、コード１７ａには端末マイク１７がそれぞれ接続されている。
【００２０】
主装置ＡＤ１には、Ｉ／Ｆ回路１、映像復調回路２、音声復調回路３、音声出力回路４、各回路に電源＋Ｖｃｃを供給する機能を有する呼出検出回路５、呼出音回路６、通話切替回路７、多重、分離回路８が設けられ、Ｉ／Ｆ回路１は信号入出力端子Ｔ３と、通話切替回路７は音声端子Ｔ２と、映像復調回路２はビデオ出力端子Ｔ１とそれぞれ接続されている。
【００２１】
Ｉ／Ｆ回路１の通話切替側は通話切替回路７と、呼出信号側は呼出検出回路５とそれぞれ接続されている。
呼出検出回路５の一方は多重、分離回路８の呼出検出側と接続されている。
通話切替回路７の呼出音側は呼出音回路６と、通話切替回路７の下り音声信号側は音声出力回路４と、上り音声信号側は音声復調回路３とそれぞれ接続され、音声出力回路４と音声復調回路３はそれぞれ多重、分離回路８の音声側と接続され、多重、分離回路８は配線Ｌ４を経由してテレビドアホン子機ＳＱ１と接続されている。
【００２２】
多重、分離回路８の映像側は映像復調回路２を介してビデオ出力端子Ｔ１と接続されている。
このようなテレビ通話装置で図１に示すテレビドアホン子機ＳＱ１の呼出釦２７を押下すると、主装置ＡＤ１の呼出検出回路５へ呼出信号ｆ４が入力される。
呼出検出回路５へ呼出信号ｆ４が入力されると、呼出検出回路５はテレビドアホン子機ＳＱ１に動作用電源を供給する。
【００２３】
同時に呼出音回路６で生成された呼出確認音ｆ５が通話切替回路７、音声出力回路４、多重、分離回路８を経由してテレビドアホン子機ＳＱ１へ返送され（例えばピン、ポンと）子機スピーカ２３を鳴動させる（この時呼出音回路６と音声出力回路４が接続されている  ）。
テレビドアホン子機ＳＱ１のテレビカメラ２１から映像変調信号が送出されると映像復調回路２からビデオ・キャプチャ・ボード１１へ映像信号ｆ１が送出される。映像信号ｆ１が送出されると、パーソナル・コンピュータＰＱ１の内部回路でパーソナル・コンピュータＰＱ１の電源スイッチがオンにされ（電源スイッチの状態はオフ）、テレビモニタ１２へビデオ・キャプチャ・ボード１１から映像復調回路２で復調された映像信号ｆ１を仮想テレビドアホン表示窓１３として出画する。
【００２４】
また、呼出検出回路５は検出信号ｆＤをＩ／Ｆ回路１を介して信号入出力ボード１５へ送出するので、信号入出力ボード１５は呼出音を生成し、パーソナル・コンピュータＰＱ１の内部回路で、端末スピーカ１８ａ、１８ｂを（例えばピン、ポンと）鳴動させる。
仮想テレビドアホン表示窓１３に出画された来訪者の映像を見ながら応答／終話用マウス１６を操作し、信号入出力ボード１５、Ｉ／Ｆ回路１を介して応答信号を送出すると、信号入出力ボード１５を介して主装置ＡＤ１のＩ／Ｆ回路１が動作し通話路切替回路７を制御する。
【００２５】
また、通話路切替回路７が制御されると、音声復調回路３と音声出力回路４が通話路切替回路７を介してサウンド・ボード１４と接続され、呼出音回路６と音声出力回路４は切離される。
端末マイク１７から入力されるテレビドアホン子機ＳＱ１への下り音声信号ｆ３が音声出力回路４を介してテレビドアホン子機ＳＱ１の子機スピーカ２３から出力される。
【００２６】
テレビドアホン子機ＳＱ１からの上り音声信号ｆ２は音声復調回路３で復調され、サウンド・ボード１４に入力され、端末スピーカ１８ａ、１８ｂから送出される。
応答／終話用マウス１６で終話操作をすると、終話信号が信号入出力ボード１５及び主装置ＡＤ１のＩ／Ｆ回路１を介して呼出検出回路５へ送出される。
【００２７】
呼出検出回路５は終話信号を入力されると、テレビドアホン子機ＳＱ１への電源を遮断し、パーソナルコンピユータＰＱ１のテレビモニタ１２に出画されていた仮想テレビ・ドアホン・モニタ１３を消去し、待受け状態に復帰する。
上記例ではパーソナルコンピユータＰＱ１の電源がオフの時、呼出があった場合を記載したが電源がオンのときでも良い。
【００２８】
【発明の効果】
以上の説明から明らかなように、本発明のテレビ通話装置によれば、テレビカメラ、子機スピーカ、子機マイクを有するテレビドアホン子機に主装置を介してテレビモニタ、端末マイク入力端子、端末スピーカ出力端子、応答信号入力端子、ビデオ端子を有するマルチメディア対応でビデオ・キャプチャ機能を有するパーソナル・コンピュータを接続すると共に、テレビドアホン子機からの呼出信号を検出し検出信号を出力する呼出検出回路と、テレビドアホン子機からの音声変調信号を復調し上り音声信号を出力する音声復調回路と、テレビドアホン子機への下り音声信号を出力する音声出力回路と、テレビドアホン子機からの映像変調信号を復調し映像信号を出力する映像復調回路と、呼出検出回路が動作したときテレビドアホン子機への呼出確認音を発生する呼出音回路と、呼出検出回路が動作したときＩ／Ｆ回路を介して検出信号を取込みかつ、応答信号入力端子に入力される応答信号を取込む信号入出力ボードと、信号入出力ボードに入力された検出信号により端末スピーカを鳴動させると共に、信号入出力ボードに入力された応答信号により端末マイク、端末スピーカを能動とするサウンド・ボードと、映像復調回路からの映像信号をテレビモニタの仮想テレビドアホン表示窓に映し出すビデオ・キャプチャ・ボードと、呼出検出回路で検出信号が検出されたとき呼出音回路を音声出力回路に接続して呼出確認音をテレビドアホン子機に送出すると共に、応答信号入力端子に入力される応答信号が送出されたとき呼出音回路を音声出力回路から切離し、かつ音声出力回路および音声復調回路をサウンド・ボードに接続してテレビドアホン子機およびパーソナル・コンピュータ間での通話を行なう通話路切替回路とを備えているので、室内親機及び主装置に設けられたテレビモニタを削除し、通常のパーソナルコンピユータに設けられたテレビモニタでテレビドアホン子機で生成された来訪者の映像をモニタできる。
【図面の簡単な説明】
【図１】本発明によるテレビ通話装置の一実施例を示すブロック図。
【図２】従来のテレビ通話装置のブロック図。
【符号の説明】
１・・・・・・Ｉ／Ｆ回路
２・・・・・・映像復調回路
３・・・・・・音声復調回路
４・・・・・・音声出力回路
５・・・・・・呼出検出回路
６・・・・・・呼出音回路
７・・・・・・通話路切替回路
１１・・・・・・ビデオ・キャプチャ・ボード
１２・・・・・・テレビモニタ
１３・・・・・・仮想テレビドアホン表示窓
１４・・・・・・サウンド・ボード
１５・・・・・・信号入出力ボード
１７・・・・・・端末マイク
１８ａ、１８ｂ・・・・・・端末スピーカ
２１・・・・・・テレビカメラ
２３・・・・・・子機マイク
２４・・・・・・子機スピーカ
ＰＱ１・・・・・・パーソナルコンピユータ
ＡＤ１・・・・・・主装置
ＳＱ１・・・・・・テレビドアホン子機
Ｊ１・・・・・・マイク用ジャック（端末マイク入力端子）
Ｊ２・・・・・・スピーカ用ジャック（端末スピーカ出力端子）
Ｊ３・・・・・・応答信号用ジャック（応答信号入力端子）
ＴＶ・・・・・・ビデオ端子
ｆ１・・・・・・映像信号
ｆ２・・・・・・上り音声信号
ｆ３・・・・・・下り音声信号
ｆ４・・・・・・呼出信号
ｆ５・・・・・・呼出確認音
ｆＤ・・・・・・検出信号
【図１】
0003574229.tif 000002
【図２】
0003574229.tif 000003